(57)【特許請求の範囲】
【請求項１】
移動可能な可動体と、
前記可動体の位置を検出する位置検出手段とを備えた遊技機の演出装置であって、
前記位置検出手段は、
水平方向に延設され、水平面上を移動可能な移動部材と、
前記移動部材と前記可動体とを連結して当該移動部材を前記可動体の移動に追従して前記水平面上を移動させる連結部材と、
前記移動部材の一端部に形成される被検知片と、
前記被検知片が移動する軌道上に配置され、前記被検知片の接近を検知する検知部と、
前記被検知片又は前記移動部材の下方に配置され、当該被検知片又は当該移動部材との間に所定の間隙を設けた状態で、平面視において当該被検知片又は当該移動部材の軌道に沿って延設されるガイド部とを備え、
前記移動部材は、
一端部が他の部材に固定されない自由端とされるとともに、他の部分が前記連結部材に固定され、
前記ガイド部は、
前記移動部材の一端部が下方に向かうように傾倒したときに前記被検知片又は前記移動部材に下方から当接して当該被検知片又は当該移動部材を支持することで前記被検知片の下方への変位量を規制し、当該被検知片の高さを所定の高さ以上に保持することを特徴とする遊技機の演出装置。
【発明の詳細な説明】
【技術分野】
【０００１】
本発明は、パチンコ機、スロットマシン等の遊技機に用いられる演出装置の技術に関する。
【背景技術】
【０００２】
従来、パチンコ機、スロットマシン等の遊技機においては、所定の場合に可動体を駆動させる演出装置（可動装置）の技術が公知となっている。例えば、特許文献１に記載の如くである。
【０００３】
特許文献１に記載の遊技機の可動装置（演出装置）は、
前後方向（水平方向）に延設されるとともに、上下方向を向いた支軸により回動自在に軸支される可動部材と、
可動部材の端部に固定される指標片（被検知片）と、
発光部と受光部とを対向させて構成され、指標片が移動する軌道上に配置される原位置検出センサ（検知部）と、
を具備するものである。
【０００４】
この技術によれば、モータの駆動力により可動部材を回転させた際に、指標片が原位置検出センサの発光部と受光部との間に進入したことを当該原位置検出センサにより検出することで、当該可動部材の位置を検出することができる。
【先行技術文献】
【特許文献】
【０００５】
【特許文献１】特開２００９−３４２４３号公報
【発明の概要】
【発明が解決しようとする課題】
【０００６】
しかしながら、特許文献１に記載の技術においては、可動部材の指標片側の端部を自由端として当該可動部材を水平方向に延設しているため、当該可動部材を繰り返し作動させるなどして当該可動部材と支軸との間にガタツキが生じると、自重により可動部材が傾倒して、指標片側の端部が下方に変位するおそれがある。これによって、指標片が下方に変位し、可動部材を作動させた際に指標片が原位置検出センサに接触し、原位置検出センサによる適切な位置検出が不可能となったり、部材の損傷を招いたりするという問題があった。
【０００７】
本発明は、上記のような問題点に鑑みてなされたものであり、その解決しようとする課題は、被検知片の下方への変位を防止し、検出部による適切な位置検出が可能な遊技機の演出装置を提供することである。
【課題を解決するための手段】
【０００８】
本発明の解決しようとする課題は以上の如くであり、次にこの課題を解決するための手段を説明する。
【０００９】
即ち、請求項１においては、移動可能な可動体と、前記可動体の位置を検出する位置検出手段とを備えた遊技機の演出装置であって、前記位置検出手段は、水平方向に延設され、水平面上を移動可能な移動部材と、前記移動部材と前記可動体とを連結して当該移動部材を前記可動体の移動に追従して前記水平面上を移動させる連結部材と、前記移動部材の一端部に形成される被検知片と、前記被検知片が移動する軌道上に配置され、前記被検知片の接近を検知する検知部と、前記被検知片又は前記移動部材の下方に配置され、当該被検知片又は当該移動部材との間に所定の間隙を設けた状態で、平面視において当該被検知片又は当該移動部材の軌道に沿って延設されるガイド部とを備え、前記移動部材は、一端部が他の部材に固定されない自由端とされるとともに、他の部分が前記連結部材に固定され、前記ガイド部は、前記移動部材の一端部が下方に向かうように傾倒したときに前記被検知片又は前記移動部材に下方から当接して当該被検知片又は当該移動部材を支持することで前記被検知片の下方への変位量を規制し、当該被検知片の高さを所定の高さ以上に保持するものである。
【発明の効果】
【００１０】
本発明の効果として、以下に示すような効果を奏する。
【００１１】
請求項１においては、移動部材が傾倒した場合であっても、被検知片の高さを所定の高さ以上に保持することで、当該被検知片と他の部材（例えば、検知部）との接触を防止したり、被検知片が検知部から離れて当該検知部による検知が不可能となるのを防止したりすることができる。
また、移動部材が傾倒しない場合においては、ガイド部は被検知片及び移動部材と離間しているため、当該ガイド部によって移動部材の移動が妨げられたり、被検知片及び移動部材が摩耗したりするのを防止することができる。
【図面の簡単な説明】
【００１２】
【図１】本発明の一実施形態に係る演出装置を備える遊技機の全体的な構成を示した正面図。
【図２】同じく、遊技機の窓枠が開放された状態を示した前方斜視図。
【図３】同じく、遊技盤を示した正面図。
【図４】演出装置を示した正面図。
【図５】ベース部材及び駆動機構を示した斜視図。
【図６】駆動機構を示した分解斜視図。
【図７】同じく、斜視図。
【図８】同じく、平面図。
【図９】同じく、側面図。
【図１０】ベース部材及び駆動機構を示した平面図。
【図１１】（ａ）図８におけるＡ−Ａ断面を示した断面図。（ｂ）図８におけるＢ−Ｂ断面を示した断面図。
【図１２】駆動機構の動作の様子を示した平面図。
【図１３】図１２におけるＣ−Ｃ断面図。
【図１４】ベース部材の動作の様子を示した平面図。
【図１５】（ａ）移動部材が傾倒した場合の、図８におけるＡ−Ａ断面を示した断面図。（ｂ）同じく、図８におけるＢ−Ｂ断面を示した断面図。
【図１６】本発明に係る演出装置の他の実施形態を示した断面図。
【図１７】同じく、他の実施形態を示した断面図。
【発明を実施するための形態】
【００１３】
まず、本発明に係る遊技機の一実施形態である遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１８】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１９】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２０】
次に、遊技盤６の構成について、図３を用いてさらに詳細に説明する。
【００２１】
遊技盤６は、図３に示すように、遊技板１０と、ガイドレール１１と、センター役物１２と、図柄表示装置１３と、可変入賞装置１４と、大入賞装置１５と、アウト口１６と、演出装置１００等により構成される。
【００２２】
遊技板１０は、四隅が適宜に切り欠けられた略平板状に形成される部材である。遊技板１０には、遊技盤６を構成する各種の遊技部品が取り付けられる。
【００２３】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２４】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２５】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２６】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の右部であってセンター役物１２の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２７】
大入賞装置１５は、所定の大当たり抽選により大当たりが選択されると、大入賞口１５ａを開放して遊技球が入球（入賞）可能に構成される装置である。大入賞装置１５は、遊技領域２５の右下部であって可変入賞装置１４の左下方に配置される。なお、大入賞装置１５は、開放した大入賞口１５ａに遊技球が入球すると図示せぬ賞球払出装置によって所定数の遊技球（賞球）が払い出されるように構成される。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２９】
次に、演出装置１００の構成について、図３から図１５までを用いて詳細に説明する。
【００３０】
演出装置１００は、所定の場合に遊技者に視覚的な印象（インパクト）を与えるためのものである。演出装置１００は、正面視（図３）において液晶画面２６の右方に配置される。演出装置１００は、主として可動体１１０と、駆動機構１２０とにより構成される。
【００３１】
図３及び図４に示す可動体１１０は、人の形状を模した部材である。可動体１１０の下端部は、平面視略扇形に形成された平板状のベース部材１１１（図５参照）の上面に固定される。ベース部材１１１の一端部（扇形の頂角部近傍）は、後述する連結部材１８０の上端部に固定される。
【００３２】
図４から図１０までに示す駆動機構１２０は、本発明に係る位置検出手段を含むものであり、可動体１１０を水平方向に移動（本実施形態においては、回転移動）させるものである。駆動機構１２０は、主としてケース体１３０と、モータ１４０と、回転板１５０と、移動部材１６０と、被検知片１７０と、連結部材１８０と、検知部１９０とにより構成される。前記位置検出手段は、移動部材１６０と、被検知片１７０と、連結部材１８０及び検知部１９０、並びに後述するケース体１３０のガイド部１３１ｃ等により構成される。
【００３３】
図４及び図５に示すケース体１３０は、可動体１１０を駆動させるための機構を収納する略箱状の部材である。ケース体１３０は、主として下部ケース１３１と、上部ケース１３２とにより構成される。
【００３４】
図４から図９までに示す下部ケース１３１には、主として凹部１３１ａと、切り欠き部１３１ｂと、ガイド部１３１ｃとが形成される。
【００３５】
図６から図８までに示すように、下部ケース１３１には、下方に向かって凹むように凹部１３１ａが形成される。凹部１３１ａは、平面視において略扇形になるように形成される。
【００３６】
切り欠き部１３１ｂは、平面視における凹部１３１ａの扇形の円弧部分の一部（より詳細には、当該円弧部分の右端部近傍）を切り欠くように形成される。
【００３７】
図６から図９までに示すように、ガイド部１３１ｃは、下部ケース１３１の上面において、上方に向かって突設されるものである。ガイド部１３１ｃは、平面視における凹部１３１ａの扇形の円弧部分（より詳細には、当該円弧部分の切り欠き部１３１ｂのすぐ左から、当該円弧部分の左端部近傍まで）に沿うように延設される。
【００３８】
図４、図５及び図９に示すように、上部ケース１３２は、下部ケース１３１の上面を覆うようにして当該下部ケース１３１に固定される。
【００３９】
図４、図６、図７及び図９に示すモータ１４０は、可動体１１０を駆動させるための動力源となるものである。モータ１４０は下部ケース１３１の下面に固定される。モータ１４０の出力軸１４１は、下部ケース１３１の下面を貫通して、当該下部ケース１３１の凹部１３１ａ内に延設される。
【００４０】
図６から図８までに示す回転板１５０は、平面視円形の板状の部材である。回転板１５０は下部ケース１３１の凹部１３１ａ内に配置され、当該回転板１５０の中心はモータ１４０の出力軸１４１の上端部に固定される。回転板１５０の上面であって、当該回転板１５０の中心から所定距離離れた位置には、略円柱状の作用軸１５１が上方に向かって突設される。
【００４１】
図６から図９までに示す移動部材１６０は、水平方向に延設され、水平面上を移動可能なものである。移動部材１６０は、略直方体状に形成される。移動部材１６０は、その下部が下部ケース１３１の凹部１３１ａに収まるように配置される。移動部材１６０には、主として固定部１６１と、長孔１６２とが形成される。
【００４２】
固定部１６１は、移動部材１６０の一端（概ね後方の端）に形成される略円筒形状の部分である。固定部１６１は、その軸線を上下方向に向けて形成される。
【００４３】
長孔１６２は、移動部材１６０を上下方向に貫通する孔である。長孔１６２は、移動部材１６０の一端部近傍から他端（概ね前方の端）部近傍まで、当該移動部材１６０の長手方向に沿って形成される。当該長孔１６２には、下方から作用軸１５１が挿通される（図６参照）。
【００４４】
被検知片１７０は、移動部材１６０の他端部に形成されるものである。被検知片１７０は、略矩形板状に形成され、その板面を上下方向に向けて配置される。被検知片１７０は、移動部材１６０の他端部から当該移動部材１６０の長手方向に突出するように、当該移動部材１６０の他端部の上面近傍に形成される。より詳細には、被検知片１７０は、平面視においてガイド部１３１ｃと重複する位置まで突設される。本実施形態に係る被検知片１７０は、移動部材１６０と一体的に形成される。
【００４５】
図５から図９までに示す連結部材１８０は、移動部材１６０と可動体１１０とを連結して当該移動部材１６０を可動体１１０の移動に追従して移動させるものである。連結部材１８０は、略円柱状の軸であり、その軸線を上下方向に向けて、平面視（図８）において下部ケース１３１の凹部１３１ａの扇形の頂角部に配置される。
【００４６】
連結部材１８０の下端部は、移動部材１６０の固定部１６１に挿通され、当該移動部材１６０に相対回転不能となるように固定される（図６参照）。
連結部材１８０の上端部は、上部ケース１３２の上面を貫通し、当該上部ケース１３２の上面から突出するように延設される（図５及び図９参照）。当該連結部材１８０の上端部は、上部ケース１３２の上方においてベース部材１１１の一端部に相対回転不能となるように固定される（図５、図９及び図１０参照）。この際、ベース部材１１１の他端部（扇形の円弧側端部）は、移動部材１６０の他端部（被検知片１７０が設けられる側の端部）と同じ方向に向かって延設される（図８及び図１０参照）。
【００４７】
このようにして連結部材１８０は上部ケース１３２に回動可能に支持される。また、移動部材１６０の固定部１６１は当該連結部材１８０の下端部に固定されているため、当該移動部材１６０の一端部（固定部１６１側の端部）は固定端となる。一方、移動部材１６０の他端部は他の部材に固定されていないため、自由端となる。
【００４８】
図６から図９までに示す検知部１９０は、被検知片１７０が移動する軌道上に配置され、当該被検知片１７０の接近を検知するものである。検知部１９０は、光を発する発光部１９１と、光を受光する受光部１９２とからなるフォトセンサで構成される。検知部１９０は一側方が開放された側面視略コ字状に形成され、上部に発光部１９１が、下部に受光部１９２が、互いに対向するようにそれぞれ配置される。発光部１９１と受光部１９２との間に何らかの物体が進入すると、発光部１９１からの光が遮られ、受光部１９２において受光できなくなるため、物体が接近してきたことを検知することができる。検知部１９０は、開放側が下部ケース１３１の凹部１３１ａ側を向くようにして、当該下部ケース１３１の切り欠き部１３１ｂに配置される。検知部１９０は、その上下中間部の高さが被検知片１７０の高さと略一致するように配置される。
【００４９】
次に、上述の如く構成された演出装置１００における下部ケース１３１、移動部材１６０、被検知片１７０及び検知部１９０の位置関係について説明する。
【００５０】
図７、図８及び図１１に示すように、移動部材１６０は、平面視（図８）において下部ケース１３１の凹部１３１ａに収まるように配置される。
【００５１】
被検知片１７０は、移動部材１６０の他端部から下部ケース１３１の凹部１３１ａを越える位置（平面視（図８）において凹部１３１ａの扇形の円弧部分を越える位置）まで延設される。また、被検知片１７０の高さは、検知部１９０の上下中間位置と略一致するように配置され、当該被検知片１７０と検知部１９０（発光部１９１及び受光部１９２）とは接触しないように互いに上下方向に所定の間隔を設けた状態で配置される。
【００５２】
下部ケース１３１のガイド部１３１ｃは、検知部１９０の受光部１９２よりも高い位置まで上方に突出する（図１１（ａ）参照）。また、ガイド部１３１ｃと被検知片１７０とは接触しないように互いに上下方向に所定の間隔を設けた状態で配置される。
【００５３】
図７、図８及び図１１に示すように、被検知片１７０の一側端部（図１１（ｂ）における左側端部）は、検知部１９０の一側端部と略一致する。この場合の移動部材１６０の位置を、以下では単に「原点位置」と記す。
【００５４】
被検知片１７０の幅（図１１（ｂ）における左右幅）は、検知部１９０の幅よりも広いため、原点位置において、被検知片１７０の他側端部（図１１（ｂ）における右側端部）は検知部１９０の他側端部よりも他側に突出し、当該他側端部は平面視（図８）において下部ケース１３１のガイド部１３１ｃと重複している。
【００５５】
次に、上述の如く構成された演出装置１００の動作態様について説明する。
【００５６】
モータ１４０を駆動させ、回転板１５０を図８に示す位置から図１２に示す位置まで平面視時計回りに回転させると、当該回転板１５０とともに作用軸１５１の位置が移動する。
当該作用軸１５１は、移動部材１６０の長孔１６２の側面を押しながら移動するため、当該移動部材１６０及び当該移動部材１６０に設けられた被検知片１７０も図１２に示すように連結部材１８０を中心として水平方向に回転移動する。この際、連結部材１８０は下部ケース１３１の凹部１３１ａの扇形の頂角部に配置されているため、当該連結部材１８０を中心として回転する被検知片１７０は、図１２及び図１３に示すように、下部ケース１３１のガイド部１３１ｃに沿うように移動する。
上述の如く移動部材１６０が回転移動すると、当該移動部材１６０とともに連結部材１８０も回転し、図１４に示すように当該連結部材１８０とともにベース部材１１１も回転移動する。したがって、当該ベース部材１１１に固定された可動体１１０（図３及び図４参照）も回転移動することになる。
モータ１４０は、原点位置から任意の角度だけ回転した後にその駆動を停止する。原点位置は検知部１９０によって検知することができるため、可動体１１０を原点位置を基準として任意の角度だけ回転させることができる。
【００５７】
また、モータ１４０を上記とは逆回転に駆動させることにより、可動体１１０を逆方向に回転させることができる。またこの場合、検知部１９０により被検知片１７０を検知した時点でモータ１４０の駆動を停止させることで、常に正確な原点位置まで復帰することができる。
【００５８】
上述の如く移動部材１６０を移動させる場合、後述するように当該移動部材１６０が傾倒していなければ、被検知片１７０とガイド部１３１ｃとは離間している（図１３参照）。したがって、当該ガイド部１３１ｃによって移動部材１６０の移動が妨げられたり、被検知片１７０が摩耗したりすることはない。
【００５９】
次に、上述の如く構成された演出装置１００において、移動部材１６０が傾倒した場合について説明する。
【００６０】
前述の如く、移動部材１６０はその一端部が固定端とされ、他端部が自由端とされた、いわゆる片持ち構造になっている。したがって、図１５に示すように、移動部材１６０を繰り返し回転移動させるなどして当該移動部材１６０（固定部１６１）と連結部材１８０との間にガタツキが生じると、当該移動部材１６０の自重によって当該移動部材１６０が傾倒し、当該移動部材１６０の他端部が下方に変位する場合がある。
また、移動部材１６０を繰り返し回転移動させるなどして連結部材１８０と当該連結部材１８０が挿通されている上部ケース１３２との間にガタツキが生じると、当該連結部材１８０が傾倒し、移動部材１６０の他端部が下方に変位する場合がある。特に本実施形態においては、連結部材１８０はベース部材１１１の一端部、すなわち可動体１１０及びベース部材１１１の重心位置から離れた部分に固定されている。このため、連結部材１８０と当該連結部材１８０が挿通されている上部ケース１３２との間にガタツキが生じると、可動体１１０の荷重によって連結部材１８０が傾倒し易く、ひいては移動部材１６０の他端部が下方に変位し易いと考えられる。
さらに、移動部材１６０が自重によって変形（湾曲）し、当該移動部材１６０の他端部が下方に変位する場合も考えられる。
【００６１】
このように、移動部材１６０の他端部が下方に変位した場合、当該移動部材１６０の他端部とともに、当該他端部に設けられた被検知片１７０も下方に変位するが、当該被検知片１７０の下方にはガイド部１３１ｃが形成されているため、当該ガイド部１３１ｃが当該被検知片１７０に下方から当接することになる。これによって、当該被検知片１７０の下方への変位量を規制し、当該被検知片１７０の高さを所定の高さ以上に保持することができる。
【００６２】
また、当該ガイド部１３１ｃは、検知部１９０の受光部１９２よりも高い位置まで上方に突設されているため、被検知片１７０が検知部１９０の受光部１９２に接触するのを防止することができる。
【００６３】
移動部材１６０が傾倒した状態で回転移動する場合も、被検知片１７０が移動する軌道に沿ってガイド部１３１ｃが延設されているため、当該被検知片１７０の下方への変位量を規制し続けることができる。
【００６４】
以上の如く、本実施形態に係る遊技機１の演出装置１００は、
移動可能な可動体１１０と、
可動体１１０の位置を検出する位置検出手段と、
を備えた遊技機１の演出装置１００であって、
前記位置検出手段は、
水平方向に延設され、水平面上を移動可能な移動部材１６０と、
移動部材１６０と可動体１１０とを連結して当該移動部材１６０を可動体１１０の移動に追従して移動させる連結部材１８０と、
移動部材１６０の一端部に形成される被検知片１７０と、
被検知片１７０が移動する軌道上に配置され、被検知片１７０の接近を検知する検知部１９０と、
被検知片１７０の下方に配置され、当該被検知片１７０との間に所定の間隙を設けた状態で、平面視において当該被検知片１７０の軌道に沿って延設されるガイド部１３１ｃと、
を備え、
移動部材１６０は、
一端部が他の部材に固定されない自由端とされるとともに、他の部分（他端部）が連結部材１８０に固定され、
ガイド部１３１ｃは、
移動部材１６０の一端部が下方に向かうように傾倒したときに被検知片１７０に下方から当接して当該被検知片１７０を支持することで被検知片１７０の下方への変位量を規制し、当該被検知片１７０の高さを所定の高さ以上に保持するものである。
【００６５】
このように構成することにより、移動部材１６０が傾倒した場合であっても、被検知片１７０の高さを所定の高さ以上に保持することで、当該被検知片１７０と他の部材（例えば、検知部１９０）との接触を防止したり、被検知片１７０が検知部１９０から離れて当該検知部１９０による検知が不可能となるのを防止したりすることができる。
また、移動部材１６０が傾倒しない場合においては、ガイド部１３１ｃは被検知片１７０及び移動部材１６０と離間しているため、当該ガイド部１３１ｃによって移動部材１６０の移動が妨げられたり、被検知片１７０及び移動部材１６０が摩耗したりするのを防止することができる。
【００６６】
なお、本実施形態においては、ガイド部１３１ｃは被検知片１７０の下方に配置するものとしたが、本発明はこれに限るものではない。すなわち、図１６に示すように、ガイド部１３１ｃを移動部材１６０の下方に配置することも可能である。
またこの場合、被検知片１７０の突出方向は、移動部材１６０の長手方向に限らず、図１６に示すように、上方に突出させることも可能である。また、被検知片１７０は、下方や斜め上下方向等、移動部材１６０の長手方向と交わる方向に突出させることも可能である。
【００６７】
また、本実施形態においては、移動部材１６０はその一端部に設けられた固定部１６１において連結部材１８０に固定されるものとしたが、本発明はこれに限るものではない。すなわち、図１７に示すように、移動部材１６０の長手方向中途部に固定部１６１を設け、当該中途部において連結部材１８０に固定することも可能である。
【００６８】
また、本実施形態においては、ガイド部１３１ｃを下部ケース１３１に形成するものとしたが、本発明はこれに限るものではなく、ガイド部１３１ｃを下部ケース１３１とは別部材で構成することも可能である。
また、本実施形態においては、検知部１９０としてフォトセンサを用いるものとしたが、本発明はこれに限るものではなく、磁石及びホールＩＣを用いた磁気センサ等、種々のセンサを用いることが可能である。
また、本実施形態においては、移動部材１６０を水平面上において回転移動させる構成としたが、本発明はこれに限るものではない。すなわち、移動部材１６０の移動は摺動移動（水平面上での平行移動）等であっても良い。
また、移動部材１６０を移動させるための機構（モータ１４０、回転板１５０、作用軸１５１等の構成）は本実施形態に限るものではなく、当該移動部材１６０を水平面上で移動させることができる機構であれば良い。
【符号の説明】
【００６９】
１：遊技機，１００：演出装置，１１０：可動体，１２０：駆動機構，１３０：ケース体，１３１：下部ケース，１３１ｃ：ガイド部，１６０：移動部材，１７０：被検知片，１８０：連結部材，１９０：検知部
【図１】
0005477334.tif 000002
【図２】
0005477334.tif 000003
【図３】
0005477334.tif 000004
【図４】
0005477334.tif 000005
【図５】
0005477334.tif 000006
【図６】
0005477334.tif 000007
【図７】
0005477334.tif 000008
【図８】
0005477334.tif 000009
【図９】
0005477334.tif 000010
【図１０】
0005477334.tif 000011
【図１１】
0005477334.tif 000012
【図１２】
0005477334.tif 000013
【図１３】
0005477334.tif 000014
【図１４】
0005477334.tif 000015
【図１５】
0005477334.tif 000016
【図１６】
0005477334.tif 000017
【図１７】
0005477334.tif 000018